(57)【要約】【課題】  輸液装置の筺体上に配され、輸液装置の動作状態を報知する動作インジケータを筐体上の他の機器によって代替させるための構成を提供する。【解決手段】  輸液装置であって、送液動作についての動作状態を文字情報により表示する領域４０５と、該領域４０５の外周部に位置し、送液動作についての動作状態を色情報により表示する領域４０３と、を有する表示部１１８と、領域４０３上に配され、該領域４０３より出射された光を、表示部１１８の外側方向に拡散させる拡散部材を有する光学部材４０２と、前記拡散部材が配された領域４０３の少なくとも一部に、前記動作状態に応じた色が、常時または所定時間ごとに表示されるように、表示部１１８の表示を制御する表示制御部とを備えることを特徴とする。【選択図】  図４
2011206209.tif 000002
【特許請求の範囲】
【請求項１】
薬液を所定の注液速度で送り出す輸液装置であって、
前記薬液を送り出す動作についての動作状態を少なくとも文字情報により表示する第１の領域と、該第１の領域の外周部に位置し、前記薬液を送り出す動作についての動作状態を色情報により表示する第２の領域と、を有する表示部と、
前記第２の領域上に配され、該第２の領域より出射された光を、前記表示部の外側方向に拡散させる拡散部材を有する光学部材と、
前記拡散部材が配された前記第２の領域の少なくとも一部に、前記動作状態に応じた色が、常時または所定時間ごとに表示されるよう前記表示部の表示を制御する表示制御部と
を備えることを特徴とする輸液装置。
【請求項２】
前記光学部材は、前記第１の領域上に配され、該第１の領域より出射された光を透過させる中央部材を更に備えることを特徴とする請求項１に記載の輸液装置。
【請求項３】
前記光学部材が有する拡散部材は、前記第２の領域より出射された光を、前記表示部の外側方向と内側方向とに拡散させることを特徴とする請求項１に記載の輸液装置。
【請求項４】
前記第２の領域が、互いに対向する辺を有していた場合、前記表示制御部は、前記第２の領域のうち、該互いに対向する辺の一方の辺の少なくとも一部に、前記動作状態に応じた色が、常時または所定時間ごとに表示されるよう前記表示部の表示を制御することを特徴とする請求項３に記載の輸液装置。
【発明の詳細な説明】
【技術分野】
【０００１】
本発明は、シリンジポンプ、輸液ポンプ等の輸液装置に関するものである。
【背景技術】
【０００２】
患者への栄養補給や輸血、化学療法剤・麻酔剤などの薬液の注入に際して、従来より、シリンジポンプや輸液ポンプ等の輸液装置が利用されている。
【０００３】
このうち、シリンジポンプは、薬液等の内容物が充填されたシリンジを支持台にセットし、シリンジ押子をスライダ組立体に接続したうえで送液動作開始ボタンを押下し、スライダ組立体によってシリンジ押子を押圧させることで、シリンジ内の内容物を精度よく送り出すことが可能な装置である。当該シリンジポンプによれば、比較的長時間にわたって高い精度で流量制御を行うことができる。
【０００４】
このようなシリンジポンプでは、通常、シリンジ内に充填された内容物の送り出し（送液）が正常に継続できない状態となった場合に、これを検知し、動作インジケータを介して周囲に報知する機能が備えられている。
【０００５】
具体的には、送液流路上において所定値以上の抵抗が生じ、閉塞異常であると判断された場合や、シリンジ内の内容物の残量が少なくなった場合、あるいはスライダ組立体による押圧動作が正常に行われなくなった場合等に、動作インジケータを赤色に点灯または点滅させる構成となっている（例えば、下記特許文献１参照）。このような構成を備えることで、送液動作中にシリンジポンプに上述のような不具合が生じたとしても、看護師等は直ちにこれを認識し、早急に対応することができる。
【先行技術文献】
【特許文献】
【０００６】
【特許文献１】特開２００９−２１９６３８号公報
【発明の概要】
【発明が解決しようとする課題】
【０００７】
しかしながら、シリンジポンプに設けられた従来の動作インジケータの場合、任意の方向から視認できるよう、凸状の形状を有し、筐体上において一定の領域を占有していた。また、見る方向によっては動作インジケータが死角に入ることもあった。
【０００８】
このため、動作インジケータの視認性の悪さや筐体上の他の機器（液晶表示部や他のランプ類、操作入力部等）は寸法上の制約を受けざるを得ず、また、コストアップの一因にもなっていた。このようなことから、シリンジポンプの筐体上においては動作インジケータを、筐体上の他の機器と共有にし、その機器によってその機能を代替させる構成とすることが望ましい。
【０００９】
本発明は上記課題に鑑みてなされたものであり、輸液装置の筺体上に配され、輸液装置の動作状態を報知する動作インジケータを筐体上の他の機器によって代替させるための構成を提供することを目的とする。
【課題を解決するための手段】
【００１０】
上記の目的を達成するために、本発明に係る輸液装置は以下のような構成を備える。即ち、
薬液を所定の注液速度（ｍＬ／ｈ）で送り出す輸液装置であって、
前記薬液を送り出す動作についての動作状態を文字情報により表示する第１の領域と、該第１の領域の外周部に位置し、前記薬液を送り出す動作についての動作状態を色情報により表示する第２の領域と、を有する表示部と、
前記第２の領域上に配され、該第２の領域より出射された光を、前記表示部の外側方向に拡散させる拡散部材を有する光学部材と、
前記拡散部材が配された前記第２の領域の少なくとも一部に、前記動作状態に応じた色が、常時または一定時間ごとに表示されるように、前記表示部の表示を制御する表示制御部とを備えることを特徴とする。
【発明の効果】
【００１１】
本発明によれば、輸液装置の筐体上に配され、輸液装置の動作状態を報知する動作インジケータを筐体上の他の機器によって代替させるための構成を提供することが可能となる。
【図面の簡単な説明】
【００１２】
【図１】本発明の一実施形態に係る輸液装置の外観構成の一例を示す図である。
【図２】輸液装置の操作パネルの一構成例を示す図である。
【図３】輸液装置の機能構成を示す図である。
【図４】動作インジケータを液晶表示部によって代替させるための機構を示す図である。
【図５】送液動作時の液晶表示部の表示制御処理の流れを示す図である。
【図６Ａ】送液動作時の液晶表示部の表示例を示す図である。
【図６Ｂ】送液動作時の液晶表示部の表示例を示す図である。
【図７】動作インジケータを液晶表示部によって代替させるための機構を示す図である。
【図８】動作インジケータを液晶表示部によって代替させるための機構を示す図である。
【図９Ａ】送液動作時の液晶表示部の表示例を示す図である。
【図９Ｂ】送液動作時の液晶表示部の表示例を示す図である。
【発明を実施するための形態】
【００１３】
以下、本発明の各実施形態について図面を参照しながら説明する。なお、以下の各実施形態では、輸液装置の一例としてシリンジポンプについて説明するが、輸液装置は、シリンジポンプに限定されるものではなく、輸液ポンプ等の他の装置であってもよいことはいうまでもない。
【００１４】
［第１の実施形態］
１．シリンジポンプの外観構成
図１は、本発明の一実施形態に係るシリンジポンプ１００の外観構成である。図１において、ポールの上段の載置具に取り付けられたシリンジポンプは、シリンジＳがセットされる前の状態を、ポールの下段の載置具に取り付けられたシリンジポンプは、シリンジＳがセットされた後の状態を、それぞれ示している。
【００１５】
図１に示すように、シリンジポンプ１００は、シリンジＳの本体部ＳＢを挟持しつつフランジ部ＳＦを嵌合させることで、シリンジＳをシリンジポンプ１００に固定するシリンジ固定部１２０と、シリンジ押子ＳＰを矢印１４０方向に押圧することで、シリンジ押子ＳＰをスライドさせる機構を有するスライダ組立体１３０と、シリンジポンプ１００に対して各種設定や動作指示を行ったり、設定内容や動作状態を表示したりするための操作パネル１１０とを備える。
【００１６】
シリンジ固定部１２０は、シリンジＳの本体部ＳＢの外周面を下側から支持する支持台１２２と、該支持台１２２との間で、シリンジＳの本体部ＳＢの外周面を挟持するクランプ１２１とを備えており、これにより、シリンジポンプ１００上におけるシリンジＳのＸ軸方向及びＺ軸方向の位置を規定している。また、シリンジ固定部１２０は、シリンジフランジ部ＳＦが嵌合されることで、シリンジＳのＹ軸方向の位置を規定する凹部１２３を備える。
【００１７】
スライダ組立体１３０は、矢印１４０方向にスライド可能に構成された当接部１３６を備える。当接部１３６は、不図示のパイプシャフト、インナークラッチシャフトを介して不図示のスライダ送り機構に連結されており、当該スライダ送り機構が動作することにより、矢印１４０方向にスライドする。
【００１８】
当接部１３６は、更に、クラッチレバー１３１を有しており、当該クラッチレバー１３１が押圧されることにより、左右フック１３２、１３３が開方向に動作する。なお、左右フック１３２、１３３は閉方向に付勢されており、クラッチレバー１３１に対する押圧力が解除されると、閉方向に戻る。
【００１９】
このため、看護師等のユーザが、シリンジ固定部１２０にシリンジＳを固定した後、クラッチレバー１３１を押圧したまま（つまり、左右フック１３２、１３３を開いた状態で）当接部１３６をシリンジ押子ＳＰに当接させ、その後、クラッチレバー１３１から手を放すと、当接部１３６は、シリンジ押子ＳＰに接続されることとなる（図１のうち、下段の載置具に取り付けられたシリンジポンプ１００参照）。このようにして、シリンジＳのシリンジポンプ１００へのセットが完了する。
【００２０】
ここで、当接部１３６の上面には、当接部１３６が、シリンジ押子ＳＰに正しく接続できなかった場合にこれを検出し、点灯または点滅するランプ１３４が設けられている。これにより、ユーザは、当接部１３６がシリンジ押子ＳＰに正しく接続されていないことを認識することができる。
【００２１】
操作パネル１１０は、各種設定や動作指示を受け付けたり、設定内容や動作状態を表示したりするための機器が配列されている。なお、操作パネル１１０の詳細は後述する。
【００２２】
２．操作パネル１１０の詳細
次に、操作パネル１１０の詳細を説明する。図２は、操作パネル１１０の詳細構成の一例を示す図である。図２において、１１１は電源の電圧降下時に点灯する電圧降下ランプであり、１１２はバッテリの残量が所定値以下になった場合に点灯するバッテリランプである。１１３は電源スイッチであり、シリンジポンプ１００の電源のＯＮ／ＯＦＦを指示する際に用いられる。
【００２３】
１１４は閉塞レベルランプであり、送液動作中に、シリンジＳの内圧値が、予め定められた３段階の設定値（閉塞レベルを示す圧力値）に到達した場合に、それぞれ緑色、黄色、橙色に点灯する。
【００２４】
１１５はクランプ異常ランプであり、シリンジＳがクランプ１２１によって正しく挟持されていなことが検出された場合に、赤色に点灯または点滅する。
【００２５】
１１６は不図示の設定ダイヤルを操作することにより設定された流量設定値（ｍＬ／ｈ）を表示するための流量設定値表示部であり、例えば、７セグメントのＬＥＤにより構成されている。
【００２６】
１１７は開始スイッチであり、シリンジＳが適切にセットされ、設定ダイヤルにより流量設定値が設定されることで、送液動作開始条件が成立した場合に、押下可能となる。開始スイッチ１１７が押下されると、シリンジポンプ１００による送液が開始される。
【００２７】
１１８は液晶表示部であり、セットされたシリンジＳについて送液する際の予定量（ｍＬ）や、送液中の積算量（ｍＬ）、ガンマ注入量（ｍｇ／ｈ）、シリンジＳの内圧値の履歴、操作内容のメッセージ、警報情報等の表示を行う。なお、本実施形態に係るシリンジポンプ１００の液晶表示部１１８は、更に、従来の動作インジケータの代替機能を有している（ただし、当該代替機能の詳細構成については後述する）。
【００２８】
３．シリンジポンプ１００の機能構成
次にシリンジポンプ１００の機能構成について説明する。図３はシリンジポンプ１００の機能構成を示す図である。３０１は操作入力部であり、操作パネル１１０上に配され、設定値の入力や各種動作指示の入力に用いられる操作ボタン、設定ダイヤル等が含まれるものとする。操作入力部３０１より入力された内容は主制御部３００に送信され、主制御部３００において処理される。
【００２９】
記憶部３０２は、シリンジポンプ１００の送液動作時に主制御部３００が有する各機能の実行において用いられる各種パラメータを記憶するとともに、送液動作中に検出された各種データ（例えば、シリンジＳの内圧値、送液中の積算量、電源電圧値、電源残容量等）を記憶する。
【００３０】
液晶表示部３０３は、図２の液晶表示部１１８に対応し、主制御部３００の液晶表示制御機能３１１によって生成された画面を表示する。
【００３１】
流量設定表示部３０４は、図２の流量設定表示部１１６に対応し、操作入力部３０１（設定ダイヤル）を介して入力された流量設定値を表示する。
【００３２】
ランプ類３０５は、主制御部３００のランプ制御機能３１２により点灯または点滅が制御される。なお、ここでいうランプ類３０５には、操作パネル１１０上に配された各種ランプ（図２の電圧低下ランプ１１１、バッテリランプ１１２、クランプ異常ランプ１１５等）が含まれる。
【００３３】
電源部３０６は、主制御部３００の電源管理機能３１７による制御のもと、主制御部３００及び主制御部３００に接続された各部３０１〜３０５、３０７〜３１０に電源を供給する。
【００３４】
シリンジ径検出部３０７は、クランプ１２１に配されており、支持台１２２との間でシリンジＳの本体部ＳＢの外周面を挟持した際のクランプ１２１の位置を検出する。主制御部３００のシリンジ径算出機能３１３では、シリンジ径検出部３０７より出力された位置情報に基づいて、シリンジ径を算出する。
【００３５】
スライダ送り機構駆動部３０８は、操作入力部３０１を介して送液動作の開始指示が入力された場合に、主制御部３００のスライダ送り制御機能３１４による制御のもと駆動し、当接部１３６を矢印１４０方向にスライドさせる。なお、スライダ送り制御機能３１４では、スライダ送り機構駆動部３０８における異常（例えば、クラッチ外れ等のクラッチ異常）の有無も合わせて判定する。
【００３６】
閉塞状態検出部３０９は、スライダ組立体１３０に取り付けられており、シリンジポンプ１００による送液動作時にシリンジＳの内圧値を検出する。閉塞状態検出部３０９において検出されたシリンジＳの内圧値は、主制御部３００の閉塞状態判定機能３１５により処理され、閉塞異常の有無が判定される。
【００３７】
押子位置検出部３１０は、シリンジポンプ１００の送液動作時のシリンジ押子ＳＰの位置を検出する。押子位置検出部３１０において検出されたシリンジ押子ＳＰの位置情報は、主制御部３００の積算量算出機能３１６により処理され、送液動作開始後の送液の積算量を算出する。なお、積算量算出機能３１６では、更に、算出した積算量と、シリンジＳの内容量とに基づいて、シリンジＳ内の薬液の残量を算出し、算出結果と所定の閾値とを比較することにより、残量異常の有無を判定する。
【００３８】
４．液晶表示部の詳細構成
次に、従来の動作インジケータの機能を代替させるための、液晶表示部１１８の詳細構成について説明する。図４は、液晶表示部１１８の外観構成を示す図である。
【００３９】
図４（Ａ）に示すように、液晶表示部１１８は、表示パネル４０１と光学部材４０２とを備え、光学部材４０２は、表示パネル４０１の周縁部に沿って配された光拡散部材により構成されている。なお、図４（Ｂ）に示すように、光学部材４０２は、高さが６〜７ｍｍ程度で幅が９ｍｍ程度の大きさを有しており、中央部が開口した形状となっている。このような大きさ及び形状とすることで、液晶表示部１１８に表示される設定値等の数値や閉塞圧のトレンドグラフ等を視認するにあたり、支障となることがない。
【００４０】
また、光学部材４０２は、光拡散材を含む透明樹脂であり、透明樹脂としては、例えば、ポリスチレン樹脂、メタクリル樹脂、ポリカーボネート樹脂、ＡＢＳ樹脂（アクリロニトリル−スチレン−ブタジエン共重合体樹脂）、ＭＳ樹脂（メタクリル酸メチル−スチレン共重合体樹脂）、ＡＳ樹脂（アクリロニトリル-スチレン共重合体樹脂）、ポリエチレン、ポリプロピレンなどのポリオレフィン樹脂またはオレフィン樹脂などの熱可塑性樹脂が挙げられる。
【００４１】
なお、光拡散剤は、透明樹脂との屈折率差が通常０．０１〜０．３、好ましくは０．０５〜０．２であり、重量平均粒子径が通常１μｍ〜１５μｍ、好ましくは２μｍ〜１０μｍであるとする。このような構成とすることで、ＬＥＤによる発光を効率よく光拡散できるからである。
【００４２】
また、透明樹脂に対して非相溶性のものが用いられ、例えばガラスビーズ、シリカ粒子、水酸化アルミニウム粒子、炭酸カルシウム粒子、炭酸バリウム粒子、酸化チタン粒子、タルクなどの無機粒子や、スチレン樹脂粒子、アクリル樹脂粒子、シリコーン粒子などの有機粒子などが用いられるものとする。なお、光拡散剤の含有量は、例えば透明樹脂１００質量部に対して通常０．１質量部〜１０質量部、好ましくは０．３質量部〜７質量部である。このような含有量に設定することで、ＬＥＤによる発光を効率よく光拡散できるからである。
【００４３】
図４（Ｃ）、（Ｄ）はそれぞれ、図４（Ｂ）のＣ−Ｃ断面及びＤ−Ｄ断面を示す図である。図４（Ｃ）、（Ｄ）に示すように、光拡散部材は、表示パネル４０１の周縁部において、外側に向かって円弧を描く形状あるいは面取り形状を有している。このため、光学部材４０２の真下に位置する表示パネル４０１（表示パネル４０１の端部）より出射された光は拡散され、外側方向にむかって放射されることとなる。
【００４４】
この結果、外側方向に位置するユーザによって、光学部材４０２の真下に位置する表示パネル４０１より出射された光が視認されることとなる（矢印４０４は、このときの視認可能な範囲を示している）。
【００４５】
このように、任意の方向から視認できるよう凸状の形状を有していた従来の動作インジケータを液晶表示部１１８によって代替するにあたり、一般に視認可能な範囲の狭い液晶表示部に対して、光学部材４０２を配する構成としたことで、視認可能な範囲を従来と同等程度とすることが可能となった。
【００４６】
更に、表示パネル４０１を、光学部材４０２の真下に位置する領域（以下、動作状態表示領域（第２の領域）４０３と称す）と、それ以外の中央領域（以下、情報表示領域（第１の領域）４０５と称す）とに分け、動作状態表示領域４０３を、従来の動作インジケータと同様の配色により表示することで、従来の動作インジケータの点滅／点灯を、同様の配色により再現することが可能となる（つまり、動作状態表示領域４０３は、シリンジポンプ１００の動作状態を、色情報により表示する領域である）。以下、従来の動作インジケータの点滅／点灯を、同様の配色で再現するための液晶表示部１１８における表示制御処理について詳説する。
【００４７】
なお、情報表示領域４０５には、セットされたシリンジＳについて送液する際の予定量（ｍＬ）や、送液中の積算量（ｍＬ）、ガンマ注入量（ｍｇ／ｈ）、シリンジＳの内圧値の履歴、操作内容のメッセージ等の文字情報、アイコンや絵文字などでの警報情報、閉塞圧のトレンドグラフ等が任意に組み合わせて表示される。
【００４８】
なお、本実施形態に係るシリンジポンプ１００の液晶表示部１１８は、更に、従来の動作インジケータの代替機能を有している（ただし、当該代替機能の詳細構成については後述する）。
【００４９】
５．シリンジポンプ１００の送液動作時の液晶表示部１１８における表示制御処理の流れ
図５は、シリンジポンプ１００の送液動作時に、液晶表示部１１８に表示される表示内容を制御する液晶表示制御機能３１１による表示制御処理の流れを示すフローチャートである。
【００５０】
薬液が充填（収容）されたシリンジＳが正しくシリンジポンプ１００にセットされ、開始スイッチ１１７が押圧されることで、シリンジポンプ１００の送液動作が開始すると、ステップＳ５０１では、動作状態表示領域４０３を正常モードで表示する。具体的には、緑色の点灯領域が所定の方向に移動して見えるように、動作状態表示領域４０３の表示を制御する。
【００５１】
図６Ａは、動作状態表示領域４０３を正常モードで表示した場合の、液晶表示部１１８における表示内容の一例を示す図である。図６Ａに示すように、はじめに、矩形の液晶表示部１１８の周縁部に位置する動作状態表示領域４０３のうち、各辺の一部分（ＬＥＤで構成される部分６０１、６１１、６２１、６３１）を緑色に表示する（（ｉ）参照）。続いて、所定時間（秒）後に、各辺の一部分であって、最初に緑色に表示した部分とは異なる部分（部分６０２、６１２、６２２、６３２）を緑色に表示するとともに、最初に緑色に表示した部分を、白色の表示に変更する（（ｉｉ）参照）。更に、所定時間後に、各辺の一部分であって、１回目及び２回目に緑色に表示した部分とは異なる部分（部分６０３、６１３、６２３、６３３）を緑色に表示するとともに、２回目に緑色に表示した部分を、白色の表示に変更する（（ｉｉｉ）参照）。以降、これらの表示を繰り返す。この所定時間（秒）は、好ましくは、送液速度（ｍＬ／ｈ）に対応し、送液速度が大きいと短く、送液速度が小さいと長くなるように設定されているものとする。このような設定とすることで、送液の状態が容易に視認できるからである。
【００５２】
このように動作状態表示領域４０３の表示を制御することで、例えば、液晶表示部１１８を左方（紙面左側）から見た場合、シリンジポンプ１００の下方から上方に向かって配列された３つの緑色のランプが、順次、点灯／消灯していくのと同じように見えるようになる。
【００５３】
図５に戻る。ステップＳ５０２では、情報表示領域４０５に新たに表示すべき情報（更新情報）を受信したか否かを判定する。ステップＳ５０２において更新情報を受信したと判定された場合には、当該受信した更新情報により、情報表示領域４０５の文字表示を更新し、ステップＳ５０４に進む（つまり、情報表示領域４０５は、文字情報を表示するための領域として機能している）。一方、ステップＳ５０２において更新情報を受信していないと判定された場合には、直接、ステップＳ５０４に進む。
【００５４】
ステップＳ５０４では、警報情報（従来のシリンジポンプにおいて動作インジケータを赤色に点灯または点滅させる必要がある情報）を受信したか否かを判定する。ステップＳ５０４において警報情報を受信していないと判定された場合には、ステップＳ５１１に進む。
【００５５】
一方、ステップＳ５０４において、警報情報を受信したと判定された場合には、ステップＳ５０５に進む。ステップＳ５０５では、受信した警報情報の種類を判定する。ステップＳ５０５における判定の結果、閉塞異常であると判定された場合には、ステップＳ５０６に進む。
【００５６】
ステップＳ５０６では、動作状態表示領域４０３を閉塞異常モードで表示する。具体的には、動作状態表示領域４０３が赤色に常時点灯して見えるように、動作状態表示領域４０３の表示を制御する。
【００５７】
図６Ｂの（Ａ）は、動作状態表示領域４０３を閉塞異常モードで表示した場合の、表示内容の一例を示した図である。図６Ｂの（Ａ）に示すように、矩形の液晶表示部１１８の周縁部に位置する動作状態表示領域４０３の全辺について、その一部分を、赤色に表示する。
【００５８】
このように動作状態表示領域４０３の表示を制御することで、例えば、液晶表示部１１８を左方（紙面左側）から見た場合に、赤色のランプが常時点灯しているのと同じように見えるようになる。
【００５９】
図５に戻る。ステップＳ５０５における判定の結果、シリンジＳ内の内容物の残量が所定値以下であると判定された場合には、ステップＳ５０７に進む。
【００６０】
ステップＳ５０７では、動作状態表示領域４０３を残量異常モードで表示する。具体的には、赤色の点灯領域が所定の方向に動作して見えるように、動作状態表示領域４０３の表示を制御する。
【００６１】
図６Ｂの（Ｂ）は、動作状態表示領域４０３を残量異常モードで表示した場合の、表示内容の一例を示す図である。図６Ｂの（Ｂ）に示すように、矩形の液晶表示部１１８の周縁部に位置する動作状態表示領域４０３のうち、各辺の一部分（部分６０１、６１１、６２１、６３１）を赤色に表示する（（ｉ）参照）。続いて、所定時間（秒）後に、各辺の一部分であって、最初に赤色に表示した部分とは異なる部分（部分６０２、６１２、６２２、６３２）を赤色に表示するとともに、最初に赤色に表示した部分を、白色の表示に変更する。（（ｉｉ）参照）。更に、所定時間（秒）後に、各辺の一部分であって、１回目及び２回目に赤色に表示した部分とは異なる部分（部分６０３、６１３、６２３、６３３）を赤色に表示するとともに、２回目に赤色に表示された部分を、白色の表示に変更する（（ｉｉｉ）参照）。以降、これらの表示を繰り返す。この所定時間（秒）は、好ましくは、送液速度（ｍＬ／ｈ）に対応し、送液速度が大きいと短く、送液速度が小さいと長くなるように設定されているものとする。このような設定とすることで、送液の状態が容易に視認できるからである。
【００６２】
このように動作状態表示領域４０３の表示を制御することで、例えば、液晶表示部１１８を左方（紙面左側）から見た場合に、シリンジポンプ１００の下方から上方に向かって配列された３つの赤色のランプが、順次、点灯／消灯していくのと同じように見えるようになる。
【００６３】
図５に戻る。ステップＳ５０５における判定の結果、クラッチ異常であると判定された場合には、ステップＳ５０８に進む。
【００６４】
ステップＳ５０８では、動作状態表示領域４０３をクラッチ異常モードで表示する。具体的には、動作状態表示領域４０３が赤色に点滅して見えるように、動作状態表示領域４０３の表示を制御する。
【００６５】
図６Ｂの（Ｃ）は、動作状態表示領域をクラッチ異常モードで表示した場合の、表示内容の一例を示した図である。図６Ｂの（Ｃ）に示すように、矩形の液晶表示部１１８の周縁部に位置する動作状態表示領域４０３の全辺について、その一部分を赤色に表示する（（ｉ）参照）。更に、所定時間後に、全辺を、白色に変更する（（ｉｉ）参照）。以降、これらの表示を繰り返す。
【００６６】
このように動作状態表示領域４０３の表示を制御することで、例えば、液晶表示部１１８を左方（紙面左側）から見た場合に、赤色のランプが点滅しているのと同じように見えるようになる。
【００６７】
図５に戻る。ステップＳ５０９では、ステップＳ５０４において受信した警報情報を、文字情報として、情報表示領域４０５に表示する。更に、ステップＳ５１０では、ステップＳ５０４において受信した警報情報により示された異常状態が解消したか否かを判定する。
【００６８】
ステップＳ５１０において、異常状態が解消したと判定した場合には、ステップＳ５０１に戻る。一方、ステップＳ５１０において、異常状態が解消されていないと判定した場合には、ステップＳ５１１に進む。
【００６９】
ステップＳ５１１では、シリンジポンプ１００による送液動作が終了したか否かを判定し、終了していないと判定された場合には、ステップＳ５０４に戻る。一方、終了したと判定された場合には、送液動作時の表示制御処理を終了する。
【００７０】
以上の説明から明らかなように、本実施形態に係るシリンジポンプでは、操作パネル上の表示パネルの周縁部に光拡散部材からなる光学部材を配し、従来の動作インジケータの点灯状態と同様となるように、当該光学部材の真下に位置する表示パネルの表示を制御する構成とした。
【００７１】
これにより、従来の動作インジケータと同様の点灯状態を、（従来の動作インジケータと同様に）任意の方向から視認することができるようになった。つまり、シリンジポンプの操作パネル上に配された従来の動作インジケータを液晶表示部によって代替させることが可能となった。
【００７２】
［第２の実施形態］
上記第１の実施形態では、液晶表示部の周縁部に光拡散部材を配するにあたり、中央部が開口した光学部材を用いることとしたが、本発明はこれに限定されず、中央部材を有する光学部材を用いるようにしてもよい。
【００７３】
図７は、本実施形態に係るシリンジポンプの表示パネル４０１に取り付けられる光学部材７００を示す図である。
【００７４】
図７に示すように、光学部材７００は、液晶表示部１１８の周縁部に配される光拡散部材７０１と、液晶表示部１１８の中央位置に配される中央部材７０２とにより構成される。中央部材７０２は、表示パネル４０１の表示面に略平行な面により構成されており、中央部材７０２の真下に位置する表示パネル４０１（表示パネル４０１の中央部）より出射された光を、上方に透過させる。
【００７５】
光拡散部材７０１は、光拡散剤を含む透明樹脂であり、透明樹脂としては、例えばポリスチレン樹脂、メタクリル樹脂、ポリカーボネート樹脂、ＡＢＳ樹脂（アクリロニトリル−スチレン−ブタジエン共重合体樹脂）、ＭＳ樹脂（メタクリル酸メチル−スチレン共重合体樹脂）、ＡＳ樹脂（アクリロニトリル-スチレン共重合体樹脂）、ポリエチレン、ポリプロピレンなどのポリオレフィン樹脂またはオレフィン樹脂などの熱可塑性樹脂が挙げられる。
【００７６】
なお、光拡散剤は、透明樹脂との屈折率差が通常０．０１〜０．３、好ましくは０．０５〜０．２であり、重量平均粒子径が通常１μｍ〜１５μｍ、好ましくは２μｍ〜１０μｍであるとする。このような構成とすることで、ＬＥＤによる発光を効率よく光拡散できるからである。
【００７７】
また、透明樹脂に対して非相溶性のものが用いられ、例えばガラスビーズ、シリカ粒子、水酸化アルミニウム粒子、炭酸カルシウム粒子、炭酸バリウム粒子、酸化チタン粒子、タルクなどの無機粒子や、スチレン樹脂粒子、アクリル樹脂粒子、シリコーン粒子などの有機粒子などが用いられるものとする。なお、光拡散剤の含有量は、例えば透明樹脂１００質量部に対して通常０．１質量部〜１０質量部、好ましくは０．３質量部〜７質量部である。このような含有量に設定することで、ＬＥＤによる発光を効率よく光拡散できるからである。
【００７８】
一方、光拡散部材７０１は、外側に向かって円弧を描く形状あるいは面取り形状となっており、これにより、動作状態表示領域４０３より出射された光は拡散され、外側方向にむかって放射されることとなる。
【００７９】
この結果、外側方向に位置するユーザによって、動作状態表示領域４０３より出射された光が視認されることとなる（矢印４０４は、このときの視認可能な範囲を示している）。また、情報表示領域４０５より出射された光は上方へ透過し、液晶表示部１１８の正面に位置するユーザによって、情報表示領域４０５に表示された情報が視認されることとなる。
【００８０】
［第３の実施形態］
上記第１の実施形態では、動作状態表示領域より出射された光が拡散され、外側方向へ放射されるように光拡散部材が形成されることとしたが、本発明はこれに限定されず、外側方向と内側方向の両方向に光が放射されるように光拡散部材が形成されてもよい。外側方向と内側方向の両方向に放射されるように光拡散部材を形成することにより、矩形の液晶表示部の周縁部に位置する動作状態表示領域のうち、互いに対向する辺の一方の辺のみの表示を制御するだけで、従来の動作インジケータを代替させることが可能となるからである。
【００８１】
１．液晶表示部の詳細構成
図８は、本実施形態における液晶表示部１１８の詳細構成を説明するための図である。図８（Ａ）に示すように、液晶表示部１１８は、表示パネル４０１と光学部材８００とを備え、光学部材８００は、表示パネル４０１の周縁部に沿って配された光拡散部材により構成されている。なお、図８（Ｂ）に示すように、光学部材８００は、中央部が開口した形状となっている。
【００８２】
光学部材８００は、光拡散材を含む透明樹脂であり、透明樹脂としては、例えば、ポリスチレン樹脂、メタクリル樹脂、ポリカーボネート樹脂、ＡＢＳ樹脂（アクリロニトリル−スチレン−ブタジエン共重合体樹脂）、ＭＳ樹脂（メタクリル酸メチル−スチレン共重合体樹脂）、ＡＳ樹脂（アクリロニトリル-スチレン共重合体樹脂）、ポリエチレン、ポリプロピレンなどのポリオレフィン樹脂またはオレフィン樹脂などの熱可塑性樹脂が挙げられる。
【００８３】
なお、光拡散剤は、透明樹脂との屈折率差が通常０．０１〜０．３、好ましくは０．０５〜０．２であり、重量平均粒子径が通常１μｍ〜１５μｍ、好ましくは２μｍ〜１０μｍであるとする。このような構成とすることで、ＬＥＤによる発光を効率よく光拡散できるからである。
【００８４】
また、透明樹脂に対して非相溶性のものが用いられ、例えばガラスビーズ、シリカ粒子、水酸化アルミニウム粒子、炭酸カルシウム粒子、炭酸バリウム粒子、酸化チタン粒子、タルクなどの無機粒子や、スチレン樹脂粒子、アクリル樹脂粒子、シリコーン粒子などの有機粒子などが用いられるものとする。なお、光拡散剤の含有量は、例えば透明樹脂１００質量部に対して通常０．１質量部〜１０質量部、好ましくは０．３質量部〜７質量部である。このような含有量に設定することで、ＬＥＤによる発光を効率よく光拡散できるからである。
【００８５】
図８（Ｃ）、（Ｄ）はそれぞれ、図８（Ｂ）のＣ−Ｃ断面及びＤ−Ｄ断面を示す図である。図８（Ｃ）、（Ｄ）に示すように、光拡散部材は、表示パネルの周縁部において、円弧を描く形状を有している。このような形状を有することにより、動作状態表示領域４０３より出射された光は拡散され、外側方向と内側方向の両方に向かって放射されることとなる。
【００８６】
この結果、外側方向のいずれの位置にいるユーザであっても、光学部材８００の真下に位置する表示パネル４０１より出射された光を視認することができる（矢印８０４は、視認可能な範囲を示している）。
【００８７】
２．シリンジポンプ１００の送液動作時の液晶表示部１１８の表示例
図９Ａ、図９Ｂは、シリンジポンプ１００の送液動作時の液晶表示部１１８における表示例を示す図である。図９Ａは、動作状態表示領域４０３を正常モードで表示した場合の、表示内容の一例を示している。
【００８８】
図９Ａに示すように、正常モードでは、まず、矩形の液晶表示部１１８の周縁部に位置する動作状態表示領域４０３のうち、互いに対向する辺の一方の辺の一部分（部分６２１、６３１）を緑色に表示する（（ｉ）参照）。続いて、所定時間（秒）後に、互いに対向する辺の一方の辺の一部分であって、最初に緑色に表示した部分とは異なる部分（部分６２２、６３２）を緑色に表示するとともに、最初に緑色に表示した部分を、白色の表示に変更する（（ｉｉ）参照）。更に、所定時間（秒）後に、互いに対向する辺の一方の辺の一部分であって、１回目及び２回目に緑色に表示した部分とは異なる部分（部分６２３、６３３）を緑色に表示するとともに、２回目に緑色に表示した部分を、白色の表示に変更する（（ｉｉｉ）参照）。以降、これらの表示を繰り返す。この所定時間（秒）は、好ましくは、送液速度（ｍＬ／ｈ）に対応し、送液速度が大きいと短く、送液速度が小さいと長くなるように設定されているものとする。このような設定とすることで、送液の状態が容易に視認できるからである。
【００８９】
このように動作状態表示領域４０３の表示を制御することで、例えば、液晶表示部１１８を左方または右方から見た場合に、シリンジポンプ１００の下方から上方に向かって配列された３つの緑色のランプが、順次、点灯／消灯していくのと同じように見えるようになる。
【００９０】
図９Ｂの（Ａ）は、動作状態表示領域４０３を閉塞異常モードで表示した場合の、表示内容の一例を示した図である。図９Ｂの（Ａ）に示すように、矩形の液晶表示部１１８の周縁部に位置する動作状態表示領域４０３のうち、互いに対向する辺の一方の辺について、その一部分を、赤色に表示する。
【００９１】
このように動作状態表示領域４０３の表示を制御することで、例えば、液晶表示部１１８を左方または右方から見た場合に、赤色のランプが常時点灯しているのと同じように見えるようになる。
【００９２】
図９Ｂの（Ｂ）は、動作状態表示領域４０３を残量異常モードで表示した場合の、表示内容の一例を示す図である。図９Ｂの（Ｂ）に示すように、残量異常モードでは、矩形の液晶表示部１１８の周縁部に位置する動作状態表示領域４０３のうち、互いに対向する辺の一方の辺の一部分（部分６２１、６３１）を赤色に表示する（（ｉ）参照）。続いて、所定時間（秒）後に、互いに対向する辺の一方の辺の一部分であって、最初に赤色に表示した部分とは異なる部分（部分６２２、６３２）を赤色に表示するとともに、最初に赤色に表示した部分を、白色の表示に変更する（（ｉｉ）参照）。更に、所定時間（秒）後に、互いに対向する辺の一方の辺の一部分であって、１回目及び２回目に赤色に表示した部分とは異なる部分（部分６２３、６３３）を赤色に表示するとともに、２回目に赤色に表示された部分を、白色の表示に変更する（（ｉｉｉ）参照）。以降、これらの表示を繰り返す。この所定時間（秒）は、好ましくは、送液速度（ｍＬ／ｈ）に対応し、送液速度が大きいと短く、送液速度が小さいと長くなるように設定されているものとする。このような設定とすることで、送液の状態が容易に視認できるからである。
【００９３】
このように動作状態表示領域４０３の表示が制御されることで、例えば、液晶表示部１１８を左方から見た場合に、シリンジポンプ１００の下方から上方に向かって配列された３つの赤色のランプが、順次、点灯／消灯していくのと同じように見えることとなる。
【００９４】
図９Ｂの（Ｃ）は、動作状態表示領域４０３をクラッチ異常モードで表示した場合の、表示内容の一例を示した図である。図９Ｂの（Ｃ）に示すように、クラッチ異常モードの場合、矩形の液晶表示部１１８の周縁部に位置する動作状態表示領域４０３のうち、互いに対向する辺の一方の辺の一部分を赤色に表示する（（ｉ）参照）。更に、所定時間後に、白色に変更する（（ｉｉ）参照）。以降、これらの表示を繰り返す。
【００９５】
このように動作状態表示領域４０３の表示を制御することで、例えば、液晶表示部１１８を左方または右方から見た場合に、赤色のランプが点滅しているのと同じように見えるようになる。
【００９６】
以上の説明から明らかなように、本実施形態に係るシリンジポンプでは、操作パネル上の液晶表示部の周縁部に、断面形状が半円状で、外側方向と内側方向の両方向に光を放射する光拡散部材を配する構成とした。
【００９７】
これにより、矩形の液晶表示部の周縁部に位置する動作状態表示領域のうち、互いに対向する辺の一方の辺のみの表示を制御するだけで、上記第１の実施形態と同様の効果を享受することが可能となった。
【００９８】
［その他の実施形態］
上記第１乃至第３の実施形態では、液晶表示部を例に説明したが、本発明は液晶表示部に限定されず、他の表示部であってもよい。また、上記第１乃至第３の実施形態では、３種類の警報情報について説明したが、本発明の警報情報は上述の３種類に限定されるものではない。更に、動作状態表示領域の表示位置、配色、表示タイミング等は、上記説明に限定されるものではない。
【符号の説明】
【００９９】
１００：シリンジポンプ、１１０：操作パネル、１１１：電圧降下ランプ、１１２：バッテリランプ、１１３：電源スイッチ、１１４：閉塞レベルランプ、１１５：クランプ異常ランプ、１１６：流量設定値表示部、１１７：開始スイッチ、１１８：液晶表示部、１２０：シリンジ固定部、１２１：クランプ、１２２：支持台、１２３：凹部、１３０：スライダ組立体、１３１：クラッチレバー、１３２・１３３：左右フック、１３４：ランプ、１３６：当接部、４０１：表示パネル、４０２：光学部材、４０３：動作状態表示領域、４０４：視認可能な範囲、４０５：情報表示領域、７０１：光拡散部材、７０２：中央部材、８００：光学部材、８０４：視認可能な範囲
【図１】
2011206209.tif 000003
【図２】
2011206209.tif 000004
【図３】
2011206209.tif 000005
【図４】
2011206209.tif 000006
【図５】
2011206209.tif 000007
【図６Ａ】
2011206209.tif 000008
【図６Ｂ】
2011206209.tif 000009
【図７】
2011206209.tif 000010
【図８】
2011206209.tif 000011
【図９Ａ】
2011206209.tif 000012
【図９Ｂ】
2011206209.tif 000013